(57)【要約】      （修正有）【課題】安定して操作することができるラジオコントロール用送信機を提供する。【解決手段】電波により被操縦体に操縦信号を送信するラジオコントロール用送信機１００は、操作者が手に持つためのグリップハンドル１１０と、被操縦体の前後方向の移動と速度を制御するスロットルトリガーと、被操縦体の左右方向の舵角を制御するステアリングホイル１３０と、を備え、ステアリングホイル１３０の径方向に突出し、操作者の指の動きをステアリングホイル１３０に伝達するための突起１３２を設けたことを特徴とする。ステアリングホイル１３０に突起１３２を設けたため、突起１３２を操作する指以外の指でラジオコントロール用送信機１００を支えることができ、両手で持って操作することができるため、操作中にぐらつくことなく安定して操作することができる。【選択図】図１
0003205463.tif 000002
【実用新案登録請求の範囲】
【請求項１】
電波により被操縦体に操縦信号を送信するラジオコントロール用送信機であって、
操作者が手に持つためのグリップハンドルと、
前記被操縦体の前後方向の移動と速度を制御するスロットルトリガーと、
前記被操縦体の左右方向の舵角を制御するステアリングホイルと、
を備え、
前記ステアリングホイルの径方向に突出し、前記操作者の指の動きを前記ステアリングホイルに伝達するための突起を設けたことを特徴とする、ラジオコントロール用送信機。
【請求項２】
前記グリップハンドルの上部と前記ステアリングホイルの上部とを連結するブリッジ部を備え、
前記ブリッジ部の下方であって、前記グリップハンドルと前記ステアリングホイルとの間に両手の指を挿入可能な空間が形成されることを特徴とする、請求項１に記載のラジオコントロール用送信機。
【請求項３】
前記突起は、前記ステアリングホイルの回転方向の始点位置が変更可能であることを特徴とする、請求項１又は２に記載のラジオコントロール用送信機。
【請求項４】
前記突起は、前記ステアリングホイルの軸方向の位置が変更可能であることを特徴とする、請求項１〜３のいずれかに記載のラジオコントロール用送信機。
【考案の詳細な説明】
【技術分野】
【０００１】
本考案は、操作者の操作によって被操縦体に操縦信号を送信するラジオコントロール用送信機に関する。
【背景技術】
【０００２】
従来のラジオコントロール用送信機として特開２０１０−８８５３６号公報（特許文献１）に開示されるものがある。この特許文献１に開示されるラジオコントロール用送信機は、電波により被操縦体を遠隔制御するために操作者が操作部を操作し、操作部の操作量に応じて被操縦体に操縦信号を送信するものであり、操作者が手に持つためのグリップハンドルと、被操縦体の前後方向の移動と速度を制御するスロットルトリガーと、被操縦体の左右方向の舵角を制御するステアリングホイルと、を備える。このようなラジオコントロール用送信機は、グリップタイプとも呼ばれる。
【０００３】
グリップタイプのラジオコントロール用送信機では、操作者が左手でグリップハンドルを握り、右手でステアリングホイルを操作する。ステアリングホイルは、円筒状に形成されており、右手の３〜５本の指で円筒状の側面を保持して回転操作する。グリップタイプのラジオコントロール用送信機は、身体に押し付けて保持しやすいなどの利点があり、近年ではグリップタイプのラジオコントロール用送信機が主流になっている。
【先行技術文献】
【特許文献】
【０００４】
【特許文献１】特開２０１０−８８５３６号公報
【考案の概要】
【考案が解決しようとする課題】
【０００５】
しかしながら、従来のグリップタイプのラジオコントロール用送信機では、グリップハンドルを片手で持つため、安定して操作ができず操作に疲れるという問題があった。特に近年では、ラジコン競技が盛んに行われており、ラジオコントロール用送信機のさらなる改良が求められていた。
【０００６】
そこで本考案は、このような問題に鑑みてなされたものであり、その目的とするところは、安定して操作することができる新規かつ改良されたラジオコントロール用送信機を提供することにある。
【課題を解決するための手段】
【０００７】
上記課題を解決するために、本考案によれば、電波により被操縦体に操縦信号を送信するラジオコントロール用送信機であって、操作者が手に持つためのグリップハンドルと、前記被操縦体の前後方向の移動と速度を制御するスロットルトリガーと、前記被操縦体の左右方向の舵角を制御するステアリングホイルと、を備え、前記ステアリングホイルの径方向に突出し、前記操作者の指の動きを前記ステアリングホイルに伝達するための突起を設けたことを特徴とする、ラジオコントロール用送信機が提供される。
【０００８】
かかる構成によれば、ステアリングホイルに突起を設けたため、突起を操作する指（１本又は２本）以外の指でラジオコントロール用送信機を支えることができる。よって、ラジオコントロール用送信機を両手で持って操作することができるため、操作中にラジオコントロール用送信機がぐらつくことなく安定して操作することができる。
【０００９】
また、グリップタイプよりも古いスティックタイプのラジオコントロール用送信機に慣れている人にとっては、細かい操作が難しいなどの理由で、グリップタイプに対して違和感があったが、本考案によれば、ステアリングホイルの突起によって細かい操作が可能となるため、グリップタイプに移行しやすい。
【００１０】
本考案は、さまざまな応用が可能である。例えば、前記グリップハンドルの上部と前記ステアリングホイルの上部とを連結するブリッジ部を備え、前記ブリッジ部の下方であって、前記グリップハンドルと前記ステアリングホイルとの間に両手の指を挿入可能な空間（例えば、幅が３〜５ｃｍ以上）が形成されるようにしてもよい。空間に両手を入れることができるため、ラジオコントロール用送信機を抱えるように支えることができる。よって、操作中にラジオコントロール用送信機がぐらつくことなく安定して操作することができる。
【００１１】
また、前記突起は、前記ステアリングホイルの回転方向の始点位置が変更可能であるようにしてもよい。よって、操作しやすい位置に突起を配置することができるため、操作性が向上する。
【００１２】
また、前記突起は、前記ステアリングホイルの軸方向の位置が変更可能であるようにしてもよい。よって、手の大きさや操作スタイルに応じた操作しやすい位置に突起を設けることができる。よって、操作性が向上する。
【００１３】
上記本考案の応用例は、任意に組み合わせることができる。
【考案の効果】
【００１４】
本考案によれば、安定して操作することができるラジオコントロール用送信機が提供される。本考案のその他の効果については、以下の考案を実施するための形態の項でも説明する。
【図面の簡単な説明】
【００１５】
【図１】本考案の一実施形態にかかるラジオコントロール用送信機１００の構成を概略的に示す図である。
【図２】ラジオコントロール用送信機１００のステアリングホイル１３０側の側面図である。
【図３】ラジオコントロール用送信機１００のスロットルトリガー１２０側の側面図である。
【図４】ラジオコントロール用送信機１００の始点を変更する工程を説明するための図である。
【図５】突起１３２の径方向の位置を説明するための図である。
【図６】ラジオコントロール用送信機１００を操作する状態を示す図である。
【考案を実施するための形態】
【００１６】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１７】
本考案の一実施形態について説明する。まず、図１〜図３を参照しながら、本実施形態にかかるラジオコントロール用送信機１００の構成について説明する。図１は、本実施形態にかかるラジオコントロール用送信機１００の構成を概略的に示す図である。図２は、ラジオコントロール用送信機１００のステアリングホイル側の側面図である。図３は、ラジオコントロール用送信機１００のスロットルトリガー側の側面図である。
【００１８】
ラジオコントロール用送信機１００は、電波により図示していない被操縦体に操縦信号を送信するものであり、図１〜図３に示したように、操作者が手に持つためのグリップハンドル１１０と、被操縦体の前後方向の移動と速度を制御するスロットルトリガー１２０と、被操縦体の左右方向の舵角を制御するステアリングホイル１３０と、を備える。操作者は、一方の手（本実施形態の場合、左手）でグリップハンドル１１０を持ち、グリップハンドル１１０を持った手の人差し指でスロットルトリガー１２０を操作する。そして、他方の手でステアリングホイル１３０を操作する。以下、順に説明する。
【００１９】
（グリップハンドル１１０）
グリップハンドル１１０は、ラジオコントロール用送信機１００を操作するときに、左手で持ちラジオコントロール用送信機１００を支えるための部分である。グリップハンドル１１０は、図２に示したように、ラジオコントロール用送信機１００の下方に延びる部分であり、下端にラジオコントロール用送信機１００を机などに立てておくための足１４０が設けられている。
【００２０】
（スロットルトリガー１２０）
スロットルトリガー１２０は、被操縦体の前後方向の移動と速度を制御するためのものである。スロットルトリガー１２０は、図３に示したように、グリップハンドル１１０の前方に設けられており、リングの下部が切り欠かれた形状である。スロットルトリガー１２０が前後方向に揺動することによって、被操縦体の前後方向の移動と速度が制御される。
【００２１】
（ステアリングホイル１３０）
ステアリングホイル１３０は、被操縦体の左右方向の舵角を制御するためのものである。ステアリングホイル１３０は、図１及び図２に示したように、ラジオコントロール用送信機１００の側部に側方に突出して設けられている。また、ステアリングホイル１３０には、ステアリングホイル１３０の径方向に突出する突起１３２が設けられている。突起１３２は、操作者の指の動きをステアリングホイル１３０に伝達するためのものであり、形状の一例としては、径が１ｃｍ程度で高さが１ｃｍ程度の円柱形状からなる。操作者が操作しやすいように突起１３２の形状をカスタマイズすることも可能である。また、図２及び図３に示したグリップ部１３３は、操作者による操作時に親指以外の指で支えられる部分である。
【００２２】
ステアリングホイル１３０は、図４に示したように、アダプター１３４を介してラジオコントロール用送信機１００の側部のネジ穴１３６に図示していないネジによって取り付けられるように構成されている。ステアリングホイル１３０の中心には、ネジが貫通する貫通孔１３０ａが形成されている。
【００２３】
アダプター１３４は、ステアリングホイル１３０に一体回転するように連結される。アダプター１３４には、円周方向に３つの円弧状貫通孔１３４ａと中心に１つの中心貫通孔１３４ｂが形成されている。円弧状貫通孔１３４ａは、アダプター１３４とラジオコントロール用送信機１００とをネジ止めする図示していないネジが貫通する孔である。アダプター１３４は、円弧状貫通孔１３４ａの長さの範囲でネジに対して回転する。
【００２４】
ステアリングホイル１３０の始点の位置であるラジオコントロール用送信機１００の側部に対する突起１３２の位置を変更する方法について説明する。まず、ステアリングホイル１３０の突起１３２の位置が好みの位置になるように、アダプター１３４を円弧状貫通孔１３４ａの長さの範囲で回転させる。突起１３２が好みの位置に変更できたら、アダプター１３４をラジオコントロール用送信機１００の側部にネジ止めする。この後、ステアリングホイル１３０の貫通孔１３０ａ、アダプター１３４の中心貫通孔１３４ａ、ラジオコントロール用送信機１００のネジ穴１３６をネジ止めすることによって、ステアリングホイル１３０が好みの始点の位置で取り付けられる。
【００２５】
このように、アダプター１３４を円弧状貫通孔１３４ａの長さの範囲で回転させるだけで、ラジオコントロール用送信機１００の側部に対する突起１３２の位置が変わるため、ステアリングホイル１３０の始点の位置を使用者の好みの位置に容易に変更することができる。
【００２６】
このように決められた位置において、ステアリングホイル１３０の貫通孔１３０ａとアダプター１３４の中心貫通孔１３４ｂとラジオコントロール用送信機１００の側部のネジ穴１３６とがねじ止めされる。このようにして、ステアリングホイル１３０がラジオコントロール用送信機１００の側部に取り付けられる。
【００２７】
また、ステアリングホイル１３０には、図５に示したように、突起１３２を着脱可能に連結する連結孔１３０ｂが軸方向に複数設けられている。突起１３２は、連結する連結孔１３０ｂの位置を変更することによって、ステアリングホイル１３０の軸方向における取り付け位置を容易に変更することができる。よって、突起１３２が、操作者の手の大きさや操作スタイルなどに応じて好みの位置の連結孔１３０ｂに連結されることで、操作性を上げることができる。
【００２８】
再び図１を参照しながら、ラジオコントロール用送信機１００の構成要素を説明する。
ラジオコントロール用送信機１００は、図１に示したように、グリップハンドル１１０の上部とステアリングホイル１３０の上部とを連結するブリッジ部１５０を備え、ブリッジ部１５０の下方であって、グリップハンドル１１０とステアリングホイル１３０との間に両手を挿入可能な空間１６０が形成される。空間１６０の幅は、両手を挿入可能なように、例えば３〜５ｃｍ程度の空間とすることができる。
【００２９】
さらに、ラジオコントロール用送信機１００の上面には、電波を送信するためのアンテナ１７０や、各種情報を表示する表示部１８０が設けられている。表示部１８０は、ブリッジ部１５０の上面に配置されている。
【００３０】
以上、本実施形態にかかるラジオコントロール用送信機１００の構成について説明した。次に、ラジオコントロール用送信機１００の持ち方の一例について、図６を参照しながら説明する。
【００３１】
操作者は、図６に示したように、一方の手Ｈ１でグリップハンドル１１０を持ち、グリップハンドル１１０を持った手の人差し指Ｆ２でスロットルトリガー１２０を操作する。また、他方の手Ｈ２の親指Ｔ２をステアリングホイル１３０の突起１３２に掛け、親指Ｔ２以外の指をステアリングホイル１３０側のグリップ部１３３を支えながら空間１６０に挿入し、ラジオコントロール用送信機１００の側部を支える。
【００３２】
そして、他方の手Ｈ２の親指Ｔ２で突起１３２を左右に動かすことによって、ステアリングホイル１３０を回転させることができる。このように、両手の指を空間１６０に挿入し、ラジオコントロール用送信機１００を両手で持って操作することができるため、安定して操作することができる。
【００３３】
（本実施形態の効果）
以上説明したように、本実施形態のラジオコントロール用送信機１００によれば、ラジオコントロール用送信機１００のステアリングホイル１３０に他方の手の親指で操作できる突起１３２を設けた。このため、他方の手の親指以外の指でラジオコントロール用送信機１００を支えることができる。よって、ラジオコントロール用送信機１００を両手で持って操作することができるため、操作中にラジオコントロール用送信機１００がぐらつくことなく安定して操作することができる。
【００３４】
また、空間１６０に両手の指を入れることができるため、ラジオコントロール用送信機１００を抱えるように支えることができる。よって、操作中にラジオコントロール用送信機１００がぐらつくことなく安定して操作することができる。
【００３５】
また、アダプター１３４に円弧状貫通孔１３４ａを設け、円弧状貫通孔１３４ａの長さの範囲でステアリングホイル１３０をラジオコントロール用送信機１００の側部に対して回転できるようにした。このため、ステアリングホイル１３０をラジオコントロール用送信機１００に取り付ける際に、ステアリングホイル１３０を円弧状貫通孔１３４ａの長さの範囲で回転させて、始点の位置において突起１３２が好みの位置になるように設定することができる。よって、操作しやすい位置に突起１３２を配置することができるため、操作性が向上する。
【００３６】
さらに、ステアリングホイル１３０の軸方向に複数の連結孔１３０ｂを設けたことにより、突起１３２を好みの位置の連結孔１３０ｂに連結することによって、手の大きさや操作スタイルに応じた操作しやすい位置に突起１３２を設けることができる。よって、操作性が向上する。
【００３７】
また、両手の指が挿入される空間１６０を設けたことにより、ステアリングホイル１３０の軸方向に複数の連結孔１３０ｂを設けたことにより、ラジオコントロール用送信機１００を両手で持って操作することができるため、操作中にラジオコントロール用送信機１００がぐらつくことなく安定して操作することができる。
【００３８】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００３９】
例えば、上記実施形態では、グリップハンドル１２０とステアリングホイル１３０との間に空間１６０を設けたが、本考案はこれに限定されない。例えば、グリップハンドル１２０とステアリングホイル１３０との間に空間１６０が設けられていなくてもよい。例えば、空間１６０のような空間が設けられていなくても、突起１３２を操作しない指で、ステアリングホイル１３０を下から支えることによって、安定して操作することができる。
【００４０】
また、上記実施形態では、ステアリングホイル１３０の始点の位置を適宜位置に設定可能としたが、本考案はこれに限定されない。例えば、ステアリングホイル１３０の始点の位置は固定でもよい。
【００４１】
また、上記実施形態では、突起１３２の位置をステアリングホイル１３０の軸方向に変更可能としたが、本考案はこれに限定されない。突起１３２はステアリングホイル１３０に対して変更不可能に固定されていてもよい。
【産業上の利用可能性】
【００４２】
本考案は、操作者の操作によって被操縦体に操縦信号を送信するラジオコントロール用送信機に利用可能である。
【符号の説明】
【００４３】
１００  ラジオコントロール用送信機
１１０  グリップハンドル
１２０  スロットルトリガー
１３０  ステアリングホイル
１３０ａ  貫通孔
１３０ｂ  連結孔
１３２  突起
１３３  グリップ部
１３４  アダプター
１３４ａ  円弧状貫通孔
１３４ｂ  中心貫通孔
１３６  ネジ穴
１４０  足
１５０  ブリッジ部
１６０  空間
１７０  アンテナ
１８０  表示部
Ｈ１  一方の手
Ｆ１  一方の手の人差し指
Ｈ２  他方の手
Ｔ２  他方の手の親指
【図１】
0003205463.tif 000003
【図２】
0003205463.tif 000004
【図３】
0003205463.tif 000005
【図４】
0003205463.tif 000006
【図５】
0003205463.tif 000007
【図６】
0003205463.tif 000008